(57)【要約】【課題】遮光性を有し、かつ、表面の印刷に対する影響を小さくすることができる遮光性紙を提供する。【解決手段】遮光性紙１０は、第１紙材１１と第２紙材１２とを接着剤層１３により貼り合わせたものであり、第１紙材１１及び第２紙材１２のうちの少なくとも一方の内側面には、少なくとも一部に黒色顔料を含む印刷層１４が設けられている。印刷層１４は、黒色顔料に加えて、他の色の顔料を含んでいることが好ましい。遮光性紙１０は、例えば、カード型の映画前売券に好ましく用いることができる。【選択図】図１
2020183048.tif 000002
【特許請求の範囲】
【請求項１】
第１紙材と第２紙材とを接着剤層により貼り合わせ、前記第１紙材及び前記第２紙材のうちの少なくとの一方の内側面には、少なくとも一部に黒色顔料を含む印刷層が設けられたことを特徴とする遮光性紙。
【請求項２】
前記印刷層は、黒色顔料に加えて、他の色の顔料を含むことを特徴とする請求項１記載の遮光性紙。
【発明の詳細な説明】
【技術分野】
【０００１】
本発明は、光を透過しにくい遮光性紙に関する。
【背景技術】
【０００２】
近年、映画鑑賞の記念にもなるコンパクトなカード型の映画前売券が広く利用されている。この映画前売券は、表側に映画のデザインが印刷され、裏側には購入番号、暗証番号、二次元コード（例えば、ＱＲコード（登録商標））が記載されている。この購入番号、暗証番号及び二次元コードは、座席指定や発券に必要となるものであり、悪用を防止するために、販売時には暗証番号及び二次元コードをスクラッチ層で覆い、購入者が使用時に削るようになっている。しかしながら、このような映画前売券は、スクラッチ層を削る前に透過光にかざすことによって暗証番号や二次元コードがわかってしまうことがあり、悪用されてしまう場合があった。そこで、透過光にかざしても暗証番号や二次元コードがわからないようにする必要があった。
【０００３】
なお、遮光性を高める方法としては、例えば、第１の紙材と第２の紙材との間に、アルミニウムを蒸着させた遮光シートを設けた遮光性紙が提案されている（例えば、特許文献１参照）。しかし、このようにアルミニウムを蒸着した遮光シートを挿入すると、全体が黒っぽくなり、表面の印刷が綺麗に見えないという問題があった。また、廃棄する際に遮光シートを分離することが難しく、分別回収が難しいという問題もあった。更に、焼却処理すると、焼却灰が多量に発生したり金属成分が焼け残ったりすることにより焼却炉を傷めてしまい、焼却効率を低下させてしまうという問題もあった。
【先行技術文献】
【特許文献】
【０００４】
【特許文献１】特開２０１２−７７４２４号公報
【発明の概要】
【発明が解決しようとする課題】
【０００５】
本発明は、このような問題に基づきなされたものであり、遮光性を有し、かつ、表面の印刷に対する影響を小さくすることができる遮光性紙を提供することを目的とする。
【課題を解決するための手段】
【０００６】
本発明の遮光性紙は、第１紙材と第２紙材とを接着剤層により貼り合わせ、第１紙材及び第２紙材のうちの少なくとの一方の内側面には、少なくとも一部に黒色顔料を含む印刷層が設けられたものである。
【発明の効果】
【０００７】
本発明によれば、第１紙材と第２紙材との間に黒色顔料を含む印刷層を設けるようにしたので、遮光性を得ることができると共に、表面の色に与える影響を小さくすることができる。よって、映画前売券に用いた場合、スクラッチ層を削る前に透過光をかざしても暗証番号や二次元コードを読み取ることができず、かつ、表面の印刷を綺麗に見せることができる。
【０００８】
また、印刷層に黒色顔料に加えて他の色の顔料を含むようにすれば、より遮光性を高めることができる。
【図面の簡単な説明】
【０００９】
【図１】本発明の一実施の形態に係る遮光性紙の構成を表す図である。
【図２】図１に示した遮光性紙を用いた映画前売券の裏面の構成を表す図である。
【発明を実施するための形態】
【００１０】
以下、本発明の実施の形態について図面を参照して詳細に説明する。
【００１１】
図１は、本発明の一実施の形態に係る遮光性紙１０の構成を表すものである。図２は、遮光性紙１０を用いたカード型の映画前売券２０の裏面の外観構成を表すものである。この遮光性紙１０は、第１紙材１１と第２紙材１２とを接着剤層１３により貼り合わせたものであり、第１紙材１１及び第２紙材１２のうちの少なくとも一方の内側面には、少なくとも一部に黒色顔料を含む印刷層１４が設けられている。第１紙材１１の内側面というのは、第２紙材１２の側の面であり、第２紙材１２の内側面というのは、第１紙材１２の側の面である。なお、図１では、第１紙材１１及び第２紙材１２の両方の内側面に印刷層１４を設けた場合を示している。この遮光性紙１０は、例えば、カード型の映画前売券２０に好ましく用いることができる。カード型の映画前売券２０は、例えば、表面に、映画に関する絵、模様、画像、又は、文字等が印刷され、裏面に購入番号２１、暗証番号２２、及び、二次元コード２３等が印刷されて、暗証番号２２及び二次元コード２３の上にはスクラッチ層２４が設けられる。
【００１２】
第１紙材１１及び第２紙材１２厚みは、例えば、０．１５ｍｍ以上であることが好ましい。厚みが薄すぎると、遮光性が低くなると共に、印刷層１４の黒色が透けてしまうからである。また、第１紙材１１及び第２紙材１２厚みは、０．３５ｍｍ以下とすることが好ましい。厚みが従来に比べて厚くなりすぎると、取り扱いに不具合が生じることがあるからである。第１紙材１１と第２紙材１２の厚みは、同一でもよいが異なっていてもよい。
【００１３】
カード型の映画前売券２０に用いる場合には、第１紙材１１を表面側、第２紙材１２を裏面側とし、第１紙材１１にはコートボール紙系、又は、カード用紙系を用い、第２紙材１２には上質紙系を用いることが好ましい。第１紙材１１の厚みは０．２５ｍｍから０．３５ｍｍとすることが好ましく、第２紙材１２の厚みは０．１５ｍｍから０．２５ｍｍとすることが好ましい。印刷層１４は、第１紙材１１の内側面に設けることが好ましく、第１紙材１１及び第２紙材１２の両方の内側面に設けるようにすればより好ましい。遮光性をより高めることができるからである。
【００１４】
接着剤層１３を構成する接着剤は、特に限定されず、例えば、一般的な紙の貼り合わせに使用されている酢酸ビニル樹脂、アクリル樹脂、エチレン酢酸ビニル共重合体樹脂等の合成高分子接着剤、又は、澱粉、グルコマンナン等の天然高分子接着剤を用いることができる。
【００１５】
印刷層１４は、インクを用いて印刷することにより形成されたものであり、黒色顔料を含むインクが用いられる。なお、印刷する際のインクには、顔料に加えて染料が含まれていてもよい。カード型の映画前売券２０に用いる場合、印刷層１４は全面に形成してもよいが、スクラッチ層２４に対応して形成するようにしてもよい。印刷層１４は、１回の印刷により形成してもよいが、重ねて複数回の印刷をすることにより形成することが好ましい。遮光性をより高めることができるからである。印刷層１４の厚みは、例えば、２μｍから６μｍ程度である。黒色顔料の材料は特に限定されず、一般的に用いられているカーボンブラックを用いることができる。
【００１６】
また、印刷層１４は、黒色顔料に加えて、他の色の顔料を含んでいることが好ましい。遮光性をより高めることができるからである。他の色の顔料としては、白色以外の顔料、具体的には、赤色顔料、黄色顔料、又は、青色顔料が挙げられる。これらの材料は特に限定されず、一般的に用いられているものを用いることができる。例えば、赤色顔料としては、鉛丹、酸化鉄赤が挙げられ、黄色顔料としては、黄鉛、亜鉛黄が挙げられ、青色顔料としては、ウルトラマリン青、プロシア青、ＹＩｎＭｎブルーが挙げられる。
【００１７】
印刷層１４に黒色顔料と他の色の顔料とを含む場合には、例えば、黒色顔料を含むインクを用いた印刷と、他の色の顔料を含むインクを用いた印刷とを重ねてすることにより、黒色顔料を含む層と、他の色の顔料を含む層とを層状に積層して有していてもよい。黒色顔料を含む層と、他の色の顔料を含む層とを積層する場合には、それら各層は１層でも複数層でもよい。すなわち、各層は１層ずつあるいは複数層ずつでもよく、また、どちらか一方が１層、他方が複数層でもよい。他の色の顔料を含む層を複数層設ける場合には、同一のインクを使用してもよく、顔料が異なる複数のインクを用いてもよい。
【００１８】
この遮光性紙１０は、例えば、次のようにして製造することができる。まず、第１紙材１１及び第２紙材１２の少なくとも一方の片面について、その少なくとも一部に黒色顔料を含むインクを用いて印刷を行い、印刷層１４を形成する。その際、黒色顔料を含むインクを用いた印刷と、他の色の顔料を含むインクを用いた印刷とを重ねて行うようにしてもよい。次いで、印刷層１４を形成した面を内側にして、第１紙材１１と第２紙材１２とを接着剤により貼り合わせる。貼り合わせには、一般的な貼合機を用いることができる。その後、例えば、プレスロール機によりプレスし、乾燥させる。
【００１９】
（実施例１）
第１紙材１１に厚み０．２５ｍｍのコートボール紙又はカード用紙を用い、第２紙材１２に厚み０．１５ｍｍの上質紙を用いて、第１紙材１１及び第２紙材１２の両方の片面にそれぞれ黒色顔料を含むインクを用いて印刷を１回行い、全面に印刷層１４を形成した。次いで、第１紙材１１と第２紙材１２とを印刷層１４を内側にして接着剤により貼り合わせ、遮光性紙１０を作製した。その後、作製した遮光性紙１０を用いて、第１紙材１１の外側の面（貼り合わせていない方の面）に絵をカラー印刷すると共に、第２紙材１２の外側の面に暗証番号２２及び二次元コード２３を印刷し、その上にスクラッチ層２４を形成して、カード型の映画前売券２０を作製した。この映画前売券２０について、第１紙材１１の側から光を照射し、スクラッチ層２４の側から見たところ、暗証番号２２及び二次元コード２３は読み取れなかった。また、第１紙材１１及び第２紙材１２の色も印刷層１４による影響は感じられず、第１紙材１１に印刷した絵は綺麗に見えた。
【００２０】
（実施例２）
印刷層１４の構成を変えたことを除き、他は実施例１と同様にして遮光性紙１０及び映画前売券２０を作製した。印刷層１４は、黒色顔料を含むインクを用いて印刷を１回行った後、赤色顔料、黄色顔料、又は、青色顔料を含むインクを用いて印刷を１回行うことにより形成した。実施例２の映画前売券２０についても、第１紙材１１の側から光を照射し、スクラッチ層２４の側から見たところ、いずれも暗証番号２２及び二次元コード２３は読み取れず、遮光性は実施例１よりも高かった。また、いずれも第１紙材１１及び第２紙材１２の色も印刷層１４による影響は感じられず、第１紙材１１に印刷した絵は綺麗に見えた。
【００２１】
このように、本実施の形態によれば、第１紙材１１と第２紙材１２との間に黒色顔料を含む印刷層１４を設けるようにしたので、遮光性を得ることができると共に、表面の色に与える影響を小さくすることができる。よって、映画前売券２０に用いた場合、スクラッチ層２４を削る前に透過光をかざしても暗証番号２２及び二次元コード２３を読み取ることができず、かつ、表面の印刷を綺麗に見せることができる。
【００２２】
また、印刷層１４に黒色顔料に加えて他の色の顔料を含むようにすれば、より遮光性を高めることができる。
【００２３】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【産業上の利用可能性】
【００２４】
光を透過しにくい遮光性紙として用いることができる。
【符号の説明】
【００２５】
１０…遮光性紙、１１…第１紙材、１２…第２紙材、１３…接着剤層、１４…印刷層、２０…映画前売券、２１…購入番号、２２…暗証番号、２３…二次元コード、２４…スクラッチ層
【図１】
2020183048.tif 000003
【図２】
2020183048.tif 000004